(57)【要約】【課題】台部に支持側を簡単に着脱でき、しかもその機構に汚れが極力付着し難くする。【解決手段】支柱７は支柱７部材の折り返した部位11の左右に一対の支持部12を有すると共に、折り返した部位11を上部に設けると共に左右一対の支持部12の先端13を下部に設ける。先端13が挿入する上部を開口した受け部15を台部６に左右一対設けると共に、左右一対の受け部15の第１の間隔Ａに対し、自由状態にある左右一対の前記先端13の第２の間隔を大きくする。左右一対の支持部12が広がろうとする弾性力により先端13を受け部15に着脱自在に固定させることで、台部６と支柱７との間は、左右一対の支持部12間の弾性を利用して受け部15に先端13を弾着させる。台部６に対する支柱７の着脱を簡単に行え、しかも受け部15、先端13には従来技術のようにばねなどがなく構造が簡単で汚れもつきにくくなる。【選択図】図１
0003140162.tif 000002
【実用新案登録請求の範囲】
【請求項１】
調理用具の調理主体が載置する台部と、該台部の後部に立設され前記調理主体の後部に立設された柄部が立て掛けられる支柱とを備えた調理用具のスタンドにおいて、前記支柱は支柱部材の折り返した部位の左右に一対の支持部を有すると共に、前記折り返した部位を上部に設けると共に左右一対の前記支持部の先端を下部に設け、前記先端が挿入する上部を開口した受け部を前記台部に左右一対設けると共に、左右一対の前記受け部の第１の間隔に対して左右一対の前記先端の第２の間隔を大きくして、前記受け部に挿入した左右一対の前記支持部が外側に広がろうとする弾性力により前記先端を前記受け部に着脱自在に固定させることを特徴とする調理用具のスタンド。
【請求項２】
前記先端の周面に溝を前記支持部の中心軸線を中心として形成し、左右一対に設けられる前記受け部は前記支持部が遊挿する第１の凹部と該第１の凹部の外側に連通し前記溝が嵌合する第２の凹部によって形成され、前記溝が嵌合する第２の凹部の上下方向の第１の厚みは前記溝の上下方向の第２の厚みと同じであることを特徴とする請求項１記載の調理用具のスタンド。
【請求項３】
前記受け部は前記台部の後側に設けると共に、左右一対の前記支持部はその上下方向の中間部において前方へ突出した凸部を設けたことを特徴とする請求項２記載の調理用具のスタンド。
【請求項４】
前記台部の上面に前記調理主体が載置する載置受け部材を着脱自在に設けたことを特徴とする請求項１〜３のいずれか１項に記載の調理用具のスタンド。
【請求項５】
前記支柱部材が１本の金属線材からなり、前記凹部が上下方向に貫通した孔であることを特徴とする請求項１〜４のいずれか１項に記載の調理用具のスタンド。
【考案の詳細な説明】
【技術分野】
【０００１】
本考案は、お玉やフライ返し或いはしゃもじ等の調理用具のスタンドに関するものである。
【背景技術】
【０００２】
従来、台側と支持部側を着脱できるものとしてクリップの先が食器はさみ箇所になり、つまみ部の一方に弓形の支柱を設け、支柱の上端に略コ字状の柄受け部を設け、お玉の柄を柄受け部に立て掛けるお玉の置き具が知られている（例えば、特許文献１）。
【特許文献１】実開平６−７６３９号公報
【考案の開示】
【考案が解決しようとする課題】
【０００３】
従来技術においては、台部となる食器にクリップを介して支柱を立設するものであるが、クリップによる固定力を大きくするにはクリップ自体を大きくしなければならない。このためクリップが大型化するとクリップのはさみ部、つまみ部、さらには支点部、バネ部に汚れが付着し易く、衛生上問題が残る。
【０００４】
解決しようとする問題点は、台部に支持側を着脱自在に立設する調理用具のスタンドにおいて、台部に支持側を簡単に着脱でき、しかもその機構に汚れが極力付着し難くする点である。
【課題を解決するための手段】
【０００５】
請求項１の考案は、調理用具の調理主体が載置する台部と、該台部の後部に立設され前記調理主体の後部に立設された柄部が立て掛けられる支柱とを備えた調理用具のスタンドにおいて、前記支柱は支柱部材の折り返した部位の左右に一対の支持部を有すると共に、前記折り返した部位を上部に設けると共に左右一対の前記支持部の先端を下部に設け、前記先端が挿入する上部を開口した受け部を前記台部に左右一対設けると共に、左右一対の前記受け部の第１の間隔に対して左右一対の前記先端の第２の間隔を大きくして、前記受け部に挿入した左右一対の前記支持部が外側に広がろうとする弾性力により前記先端を前記受け部に着脱自在に固定させることを特徴とする調理用具のスタンドである。
【０００６】
請求項２の考案は、前記先端の周面に溝を前記支持部の中心軸線を中心として形成し、左右一対に設けられる前記受け部は前記支持部が遊挿する第１の凹部と該第１の凹部の外側に連通し前記溝が嵌合する第２の凹部によって形成され、前記溝が嵌合する第２の凹部の上下方向の第１の厚みは前記溝の上下方向の第２の厚みと同じであることを特徴とする請求項１記載の調理用具のスタンドである。
【０００７】
請求項３の考案は、前記受け部は前記台部の後側に設けると共に、左右一対の前記支持部はその上下方向の中間部において前方へ突出した凸部を設けたことを特徴とする請求項２記載の調理用具のスタンドである。
【０００８】
請求項４の考案は、前記台部の上面に前記調理主体が載置する載置受け部材を着脱自在に設けたことを特徴とする請求項１〜３のいずれか１項に記載の調理用具のスタンドである。
【０００９】
請求項５の考案は、前記支柱部材が１本の金属線材からなり、前記凹部が上下方向に貫通した孔であることを特徴とする請求項１〜４のいずれか１項に記載の調理用具のスタンドである。
【考案の効果】
【００１０】
請求項１の考案によれば、台部に対する支柱の着脱を支持部が外側に広がろうとする弾性力により簡単に行え、しかも受け部、先端には汚れがつきにくくなる。
【００１１】
請求項２の考案によれば、先端が第２の凹部に対して水平方向及び上下方向の固定がなされる。
【００１２】
請求項３の考案によれば、立て掛けた柄部が横に振れても柄部は凸部に係止して倒れ落ちるようなことはなくなる。
【００１３】
請求項４の考案によれば、載置受け部材を取り外して簡単に洗うことで衛生的に保つことができる。
【００１４】
請求項５の考案によれば、安価でしかも汚れが溜まりにくくなる。
【考案を実施するための最良の形態】
【００１５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１６】
図１〜図３は一実施例を示しており、調理用具としてのお玉１は下部に上方を開口した略半球状の調理主体としての掬い部２と、掬い部２の後部に立設する柄部３とを備えると共に、柄部３の上部には握り部４が設けられる。お玉１のスタンド５は掬い部２が載置する台部６と、台部６の後部に立設され柄部３が立て掛けられ支柱７とを備える。台部６は平面が矩形の金属板によって形成され、この台部６の上面中央には掬い部２が載置する載置受け部材８が着脱自在に設けられている。この載置受け部材８は平面が円形なエラストマやゴム材によって形成される弾性板によって形成されたものであり、この載置受け部材８は台部６の上面に形成された凹所９に着脱自在に嵌合しており、この凹所９は中央部が低くなるように窪んでいる。このため凹所９に嵌合する載置受け部材８の中央部も低くなるように窪んで、掬い部２が安定した状態で載置できるようになっている。
【００１７】
前記支柱７は支柱部材としての１本の金属製の線材10を逆Ｕ字形状に折り返した部位11の左右に一対の支持部12を有し、折り返した部位11を上部に設けると共に左右一対の支持部12の先端13を下部に設けるようにする。また、左右一対の支持部12はその上下方向の中間部において前方へ突出した凸部14を屈曲によって設けている。台部６の後部の左右に、先端13が挿入する上部を開口した受け部15を設ける。この受け部15は台部６を上下方向に貫通した貫通孔によって形成される。そして、左右一対の受け部15間の外側の第１の間隔Ａに対して、負荷がかかっていない自由状態にある左右一対の先端13間の外側の第２の間隔Ｂを大きくして（Ａ＜Ｂ）、左右一対の前記支持部12が広がろうとする弾性力の付勢により先端13を受け部15に接続させるように形成されている。
【００１８】
さらに、先端13の周面には溝16が支持部12の中心軸線17を中心として形成されており、左右一対に設けられる受け部15は、それぞれ支持部12が遊挿する第１の凹部18と該第１の凹部18の外側に連通し溝16が嵌合する第２の凹部19によって形成されている。このため、実施例では先端13の外径Ｃに対して第１の凹部18の内径Ｄは大きく（Ｃ＜Ｄ）、先端13の外径Ｃに対して第２の凹部19の内径Ｅは小さく（Ｃ＞Ｅ）されており、溝16の外径Ｆは第２の凹部19の内径Ｅと同じに形成されている（Ｅ＝Ｆ）。また、第２の凹部19の上下方向の第１の厚みＧと溝16の上下方向の第２の厚みＨと同じに形成されている（Ｇ＝Ｈ）。尚。図中20は台部６の下面に取り付けた滑り止め部材である。
【００１９】
次に前記構成についてその作用を説明する。台部６に支持部12を立設するには、まず左右一対の支持部12にそれぞれ指をかけてその第１の間隔Ａより第２の間隔Ｂよりやや狭めて、左右一対の先端13を第１の凹部18に挿入する。そして、指を左右一対の支持部12よりそれぞれ離すと折り返した部位11を中心として支持部12が弾性力によって付勢されて外側に開き、このため先端13の周面が受け部15に付勢するように係止して固定される。この際、第１の凹部18の外側に第２の凹部19が連通しているので、押し広げられた支持部12の先端13が第１の凹部18から第２の凹部19に移動して、先端13の周面に設けられた溝16が第２の凹部19に嵌合して左右前後方向が固定される。さらに、この嵌合のときに、第２の凹部19の上下方向の第１の厚みＧと溝16の上下方向の第２の厚みＨと同じであるので、これら第２の凹部19と溝16との係止により上下方向が固定されることとなる。
【００２０】
このようにして、支持部12を台部６に立設した状態で、掬い部２を載置受け部材８上に載置すると共に柄部３を折り返した部位11に接して立て掛けることで、お玉１を立て掛けておくことができる。そして、汚れた場合には、組み立てとは逆に左右一対の支持部12にそれぞれ指を掛けてそれらの間隔を狭めることで、先端13を第２の凹部19から第１の凹部18に移動することで嵌合状態を解除して支柱７を上方に抜き出す。
【００２１】
以上のように、前記実施例では請求項１に対応して、調理用具であるお玉１の調理主体である掬い部２が載置する台部６と、該台部６の後部に立設されお玉１の後部に立設された柄部３が立て掛けられる支柱７とを備え、支柱７は支柱７部材の折り返した部位11の左右に一対の支持部12を有すると共に、折り返した部位11を上部に設けると共に左右一対の支持部12の先端13を下部に設け、先端13が挿入する上部を開口した受け部15を台部６に左右一対設けると共に、左右一対の受け部15の第１の間隔Ａに対して、自由状態にある左右一対の前記先端13の第２の間隔Ｂを大きくして、前記受け部に挿入した左右一対の支持部12が広がろうとする弾性力により先端13を受け部15に着脱自在に固定させることで、台部６と支柱７との間は、左右一対の支持部12間の弾性を利用して受け部15に先端13を弾着させるようにしたので、台部６に対する支柱７の着脱を簡単に行え、しかも受け部15、先端13には従来技術のようにばねなどがなく構造が簡単で汚れもつきにくくなる。
【００２２】
前記実施例では請求項２に対応して、先端13の周面に溝16を支持部12の中心軸線17を中心として形成し、左右一対に設けられる受け部15は支持部12が遊挿する第１の凹部18と該第１の凹部18の外側に連通し溝16が嵌合する第２の凹部19によって形成され、溝16が嵌合する第２の凹部19の上下方向の第１の厚みＧは溝16の上下方向の第２の厚みＨと同じであることで、先端13が第２の凹部19に対して水平方向及び上下方向の固定がなされる。
【００２３】
前記実施例では請求項３に対応して、受け部15は台部６の後側に設けると共に、左右一対の支持部12はその上下方向の中間部において前方へ突出した凸部14を設けたことで、立て掛けた柄部３が左右に振れても柄部３は凸部14に係止するので倒れ落ちるようなことはなくなる。
【００２４】
前記実施例では請求項４に対応して、台部６の上面に掬い部２が載置する載置受け部材８を着脱自在に設けたことで、載置受け部材８が汚れた場合にそれを取り外して簡単に洗うことで衛生的に保つことができる。
【００２５】
前記実施例では請求項５に対応して、支柱７部材が１本の金属線材10からなるので安価に製造でき、また受け部15が上下方向に貫通した孔であることによって受け部15に汚れ溜まりにくくなる。
【産業上の利用可能性】
【００２６】
以上のように本考案にかかる調理用具のスタンドは、各種調理用具の用途に適用できる。
【図面の簡単な説明】
【００２７】
【図１】本考案の一実施例を示す分解斜視図である。
【図２】同全体斜視図である。
【図３】同要部の分解斜視図である。
【符号の説明】
【００２８】
１  お玉（調理用具）
２  掬い部（調理主体）
３  柄部
６  台部
７  支柱
８  載置受け部材
10  金属線材
11  折り返した部位
12  支持部
13  先端
14  凸部
15  受け部
16  溝
17  中心軸線
18  第１の凹部
19  第２の凹部
Ａ  第１の間隔
Ｂ  第２の間隔
Ｇ  第１の厚み
Ｈ  第２の厚み
【図１】
0003140162.tif 000003
【図２】
0003140162.tif 000004
【図３】
0003140162.tif 000005